(57)【要約】【課題】開栓した栓体の採血管内への落下を確実に防止することが可能な開栓具を提供する。【解決手段】フィルムを有する栓体により開口部が封止されている採血管を開栓する開栓具１であって、栓体の中央に刺し通される針１１と、針１１の先端側に刃先が位置し、かつ、刃先が針１１の先端よりも低い位置に位置するよう、針１１が配置されている位置を中心とした円上に配置された、栓体を切り抜くためのカッター１２と、針１１と、カッター１２とを支持する支持部材１４とを備えた。【選択図】図１
2014189312.tif 000002
【特許請求の範囲】
【請求項１】
フィルムを有する栓体により開口部が封止されている採血管を開栓する開栓具であって、
前記栓体の中央に刺し通される針と、
前記針の先端側に刃先が位置し、かつ、刃先が前記針の先端よりも低い位置に位置するよう、前記針が配置されている位置を中心とした円上に配置された、前記栓体を切り抜くためのカッターと、
前記針と、カッターとを支持する支持部材とを備えた開栓具。
【請求項２】
前記針は、前記栓体の抜け落ち防止構造を有している請求項１記載の開栓具。
【請求項３】
前記針を中心として、前記カッターの周囲を囲うように配置された、前記針の先端よりも高い位置に端部が位置する円筒部を更に備えた請求項１または請求項２記載の開栓具。
【請求項４】
前記針と、前記カッターと、前記支持部材とが、樹脂により一体成形されている請求項１から請求項３いずれか一項記載の開栓具。
【発明の詳細な説明】
【技術分野】
【０００１】
本発明は、採血管を開栓する開栓具等に関するものである。
【背景技術】
【０００２】
従来から、臨床検査における採血に用いられる採血管として、開口部をフィルム状の栓体により封止した採血管が用いられている。
【０００３】
このような採血管の栓体を開栓するものとして、円筒の軸芯と垂直に隔壁を円筒内に設け、円筒の内側に同心円上に配置される栓体を開栓する開栓カッターと、開栓カッターの内側に同心円状に、配置される開栓された栓体部分を保持する保持ピンとを隔壁に付けた開栓部分とを備えた開栓ブロックが知られていた（例えば、特許文献１参照）。
【０００４】
このような開栓ブロックにおいては、開栓カッターで打ち抜くことにより開栓した栓体を保持ピンにより保持できるため、打ち抜いた栓体が採血後の採血管内に落ちることを防いで、落ちた栓体により採血された血液を汚染することを防ぐことができるとともに、落ちた栓体を取り出す作業等を減らすことが可能となる。
【先行技術文献】
【特許文献】
【０００５】
【特許文献１】特開２０１０−２３８６８号公報（第１頁、第６図等）
【発明の概要】
【発明が解決しようとする課題】
【０００６】
しかしながら、上述したような従来の技術においては、開栓した栓体を開栓ブロックで確実に保持することができず、開栓した栓体が採血管内に落下してしまうという課題があった。
【０００７】
例えば、採血管の栓体としては、アルミ箔等の金属箔を樹脂等でコーティングしたフィルム等を用いたものが利用されることが多く、栓体を開栓カッターで打ち抜く際に，打ち抜かれた栓体が変形してしまう場合がある。この場合、打ち抜かれた栓体が保持ピンに掛止しなくなって、保持ピンによって保持されず、採血管内に落下してしまう場合があった。
【課題を解決するための手段】
【０００８】
本発明の開栓具は、フィルムを有する栓体により開口部が封止されている採血管を開栓する開栓具であって、栓体の中央に刺し通される針と、針の先端側に刃先が位置し、かつ、刃先が針の先端よりも低い位置に位置するよう、針が配置されている位置を中心とした円上に配置された、栓体を切り抜くためのカッターと、針と、カッターとを支持する支持部材とを備えた開栓具である。
【０００９】
かかる構成により、栓体に針を刺した状態で、カッターで栓体の開栓を行うこととなり、開栓された栓体が針に刺された状態で針に掛止するため、開栓した栓体の採血管内への落下を確実に防止することができる。
【００１０】
また、本発明の開栓具は、前記開栓具において、針は、栓体の抜け落ち防止構造を有している開栓具である。
【００１１】
かかる構成により、開栓された栓体が、針の抜け落ち防止構造に掛止することとなるため、開栓した栓体の採血管内への落下を確実に防止することができる。
【００１２】
また、本発明の開栓具は、前記開栓具において、針を中心として、カッターの周囲を囲うように配置された、針の先端よりも高い位置に端部が位置する円筒部を更に備えた開栓具である。
【００１３】
かかる構成により、円筒部内に採血管を挿嵌することで、円筒部が針を刺す位置を決めるためのガイドとなるため、針を栓体の同じ位置に刺すことができ、安定して開栓を行うことができる。また、円筒部により、採血管の栓体近傍が覆われるため、開栓時に飛び出した血液の飛散を防ぐことができる。
【００１４】
また、本発明の開栓具は、前記開栓具において、針と、カッターと、支持部材とが、樹脂により一体成形されている開栓具である。
【００１５】
かかる構成により、廃棄が容易な開栓具を安価に製造することができる。
【発明の効果】
【００１６】
本発明による開栓具によれば、開栓した栓体の採血管内への落下を確実に防止することができる。
【図面の簡単な説明】
【００１７】
【図１】本発明の実施の形態における開栓具の一部切り欠き斜視図（図１（ａ））、及び断面図（図１（ｂ））
【図２】同開栓具の平面図（図２（ａ））、側面図（図２（ｂ））、及び一部切り欠き側面図（図２（ｃ））
【図３】同開栓具の針の変形例を示す図
【図４】同開栓具のカッターの第一の変形例を示すための一部切り欠き側面図（図２（ａ））、第二の変形例を示すための一部切り欠き側面図（図２（ｂ））、第三の変形例を示すための一部切り欠き側面図（図２（ｃ））を示す図
【図５】同開栓具による開栓対象となる採血管の一例を示す図
【図６】同開栓具を用いた採血管の開栓動作を説明するための図
【発明を実施するための形態】
【００１８】
以下、開栓具等の実施形態について図面を参照して説明する。なお、実施の形態において同じ符号を付した構成要素は同様の動作を行うので、再度の説明を省略する場合がある。
【００１９】
（実施の形態）
図１は、本実施の形態における開栓具の一部切り欠き斜視図（図１（ａ））、及び図１（ａ）のＩａ−Ｉａ線による断面図（図１（ｂ））である。
【００２０】
図２は、本実施の形態における開栓具の平面図（図２（ａ））、側面図（図２（ｂ））、及び一部切り欠き側面図（図２（ｃ））である。
【００２１】
本実施の形態にかかる開栓具１は、フィルムを有する栓体により開口部が封止されている採血管を開栓するための器具である。
【００２２】
開栓具１は、針１１と、カッター１２と、円筒部１３と、支持部材１４を備える。
【００２３】
針１１は、採血管の栓体の中央に刺し通されるため部材である。針１１は、支持部材１４により支持されている。針１１の先端は、針１１の支持部材１４に支持されている側とは反対側に設けられている。針１１の長さは、例えば、６ｍｍから１２ｍｍである。針の太さは、例えば、直径が１ｍｍから３ｍｍである。ただし、針１１の太さは、採血時等に採血管の栓体に刺し通される針と同程度の太さであっても良い。
【００２４】
針１１は、開栓した栓体が針１１から抜け落ちることを防止する抜け落ち防止構造１１０を有している。抜け落ち防止構造１１０は、例えば、針１１の先端と、針１１の支持部材１４により支持されている部分との間に設けられている。図１および図２においては、抜け落ち防止構造１１０は、針１１に設けられたくびれであり、このくびれの最も太さが細い部分の、針１１の長手方向における位置が、針１１の針先から、３ｍｍから６ｍｍ程度離れた位置である場合を例に挙げて説明する。
【００２５】
なお、抜け落ち防止構造１１０は、例えば、針１１のくびれや、くぼみや、ふくらみや、凹凸や、突起等であってもよい。図３は、針１１の変形例を示すための、針１１の先端近傍の拡大図である。例えば、抜け落ち防止構造１１０は、図３に示すように、針１１の先端近傍に設けられたかえし３０であってもよい。
【００２６】
カッター１２は、栓体を切りぬくための部材である。カッター１２は、支持部材１４により支持されている。カッター１２は、針１１が配置されている位置を中心とした円上に配置されている。ここでの円上に配置とは、針１１の先端側から見て円上に配置されていることを意味する。円上に配置された状態での、カッター１２の外側の直径は、採血管の開口部の内側の直径よりも小さい直径となるようにする。カッター１２の外側の直径は、例えば、８ｍｍから１４ｍｍ程度である。カッター１２は、例えば、針１１を中心として、針１１を囲むように配置されている。ここでの中心とするということは、中心軸とすることと考えても良い。
【００２７】
カッター１２は、例えば、針１１を囲むように円筒状に湾曲した１または２以上の切刃を有している。切刃は、栓体を切り抜くための刃である。ここでは、カッター１２は、針１１を回転軸とした仮想の円筒上に、この円筒に沿って湾曲した４枚の切刃１２１が、等間隔で配置されている場合を例に挙げて説明する。つまり、４枚の切刃１２１は、針１１が配置されている位置を回転の中心として、９０度間隔で回転配置されている。
【００２８】
切刃１２１は、刃先が山型の形状を有している。山型の形状を有していることにより、開栓具１を、針１１を回転の軸としていずれかの方向に回転させることで、切刃１２１で採血管の栓体を切り抜くことが可能である。刃先の先端付近は、採血管の栓体に刺し込めるように、鋭利な形状となっていることが好ましい。但し、切刃１２１の刃先の形状は問わない。例えば、刃先は、ノコギリ刃形状であっても良いし、波刃形状であっても良いし、櫛刃形状であっても良い。なお、切刃１２１の刃先は、通常、先端に向かって厚さが薄くなるよう傾斜を有している。例えば、図１（ｂ）に示すように、切刃１２１の先端近傍の、針１１に対して外側に位置する部分には、針１１側に向かって傾斜する傾斜部１２１ａが設けられている。この傾斜部１２１ａが支持面１４１に垂直な角度に対してなす角度は、例えば、４０から５０度であることがカッター１２を製造する工程上好ましい。ただし、これよりも鋭角であっても良い。
【００２９】
なお、カッター１２は、円筒状の一つの切刃を有していても良いし、４つ以外の複数の切刃を有していても良い。図４は、カッター１２の切刃の変形例を示すための一部切り欠き側面図である。カッター１２は、図４（ａ）に示すように、三枚の切刃１２２を有していても良いし、図４（ｂ）に示すように、二枚の切刃１２３を有していても良い。また、カッター１２は、図４（ｃ）に示すように刃先がノコギリ刃形状である円筒状の一つの切刃１２４を有していても良い。
【００３０】
カッター１２の各切刃１２１は、通常、針１１と平行に配置されている。但し、各切刃１２１の先端側が、針方向に向かって傾斜していても良い。
【００３１】
カッター１２は、針１１の先端側に刃先が位置するよう配置されている。刃先とは、切刃の端部の鋭利な部分である。カッター１２の刃先が向いている方向と、針１１の針先が向いている方向とが平行、または略平行となっている。カッター１２の最も高い部分の高さ（長さ）は、例えば、３．５ｍｍから６ｍｍである。
【００３２】
カッター１２は、切刃１２１の刃先の先端が針１１の先端よりも低い位置に位置するよう配置されている。切刃１２１の刃先の先端とは、例えば、切刃１２１の最も高さの高い部分である。切刃１２１の刃先の先端は、例えば、山型の切刃の頂上（頂点）の部分である。ここでの高さは、例えば、針１１，あるいはカッター１２が支持部材１４により支持されている位置や、針の針先とは異なる端部の位置を基準とした高さである。また、ここでの高さは、針１１の先端を上にして、針１１を支持している支持部材１４側を下とした場合の高さと考えても良い。なお、高さは、このような基準となる位置と、任意の点との間の、針１１の長手方向の長さ成分と考えても良い。かかることは、以下においても同様である。刃先の先端が、針１１の先端よりも低い位置に位置するということは、刃先の先端が、針１１の先端と、針１１の支持部材１４により支持されている部分との間の位置に位置していることと考えても良い。あるいは、針１１の針先が指す方向において、刃先の先端が、針先よりも後方に位置していることと考えても良い。このような配置とすることで、開栓具１を採血管の栓体に押し当てる際に、針１１の針先を、カッターの刃先よりも先に、栓体に刺し込むことが可能となる。このような配置としなかった場合、カッター１２の刃先が栓体に刺し込まれた後に針１１が栓体に当たるため、カッター１２で栓体のフィルム等が破れた場合、栓体が採血管に固定されない状態となり、針１１が栓体に刺さらなくなってしまう場合がある。針１１の先端と、カッター１２の刃先との距離は、２ｍｍから６ｍｍの範囲とすることが好ましい。
【００３３】
また、カッター１２の切刃１２１の先端は、針１１の抜け落ち防止構造１１０と高さが同じとなる位置、即ち同じ高さ位置、または、抜け落ち防止構造１１０よりも高さが高い位置に配置されていることが好ましい。同じ高さ位置とは、具体的には、抜け落ち防止構造１１０の少なくとも一部の位置が、カッター１２の切刃１２１の先端と同じ高さとなるような位置である。図１および図２においては、抜け落ち防止構造１１０である針１１のくびれの最も太さが細い部分の高さが、切刃１２１の最先端の部分（即ち、最も高さが高い部分）の高さよりも、０ｍｍから２ｍｍの範囲で低い位置にある場合を例に挙げて説明する。なお、採血管の栓体が、後述するように採血針を刺す位置等にゴム部材等を有している場合、切刃１２１の先端の高さを、抜け落ち防止構造１１０である針１１のくびれの最も太さが細い部分の高さよりも、ゴム部材の厚さの範囲内で低い位置とすることが好ましい。
【００３４】
円筒部１３は、採血管の栓体を開栓する際のガイドとして用いられる部材である。円筒部１３は、更に、採血管の内部の血液が、開栓時に飛び散ることを防ぐ役割を有する部材である。円筒部１３は、支持部材１４により支持されている。円筒部１３は、針１１を中心として、カッター１２の周囲を囲うように配置される。ここでの中心とするということは、中心軸とすることと考えても良い。円筒部１３は、例えば、針１１を回転軸とした円筒形状の部材である。円筒部１３は、例えば、針１１の配置されている位置を中心とした円上に配置される。円筒部１３は、このような円を、針１１の長手方向に向かって押し出して得られる円筒形状を有する部材と考えても良い。円筒部１３が配置される円とカッター１２が配置される円とは、通常、同心円である。この円筒部１３の内部の直径は、カッター１２が配置される円の直径よりも大きいサイズとする。例えば、円筒部１３の内側は、栓体で封止した採血管の栓体側（即ち、開口部側）を挿嵌可能な形状および大きさであることが好ましい。例えば、円筒部１３の内側の直径は、採血管の開口部側の外側の直径と同じ、もしくは最大で２ｍｍ大きい直径であることが好ましい。この円筒部１３の内部の直径は、例えば、１６ｍｍから２４ｍｍである。
【００３５】
円筒部１３は、針１１の先端よりも高い位置に端部１３１が位置している。ここでの端部１３１とは、円筒部１３の端部のうちの、円筒部１３の針先側の端部１３１である。ここでの端部１３１は、円筒部１３の端部のうちの、針１１の針先の方向の端部と考えても良い。円筒部１３の端部１３１が、針１１の先端よりも低い位置に位置するということは、円筒部１３の端部１３１が、針１１の先端に対して、針１１の支持部材１４により支持されている部分とは逆側に位置していることと考えても良い。あるいは、針１１の針先が指す方向において、刃先が、針先よりも前方に位置していることと考えても良い。針１１の針先と、円筒部１３の端部１３１との距離は、２ｍｍから１０ｍｍであることが好ましい。これにより、図２（ｂ）に示すように、開栓具１を側面から見た場合、針１１やカッター１２が円筒部１３に隠れて見えないようになっている。このような配置とすることで、開栓具１を採血管の栓体に押し当てる際に、針１１の針先が、栓体に刺し込まれるよりも先に、採血管の開口部側が、円筒部１３内に挿嵌されることとなるため、円筒部１３が、針１１を栓体に刺す際のガイドとなるとともに、針１１を栓体に刺す際に飛び出す血液等の飛散を防ぐことが可能となる。円筒部１３の針１１の先端以外の端部を基準点とした高さは、例えば、８ｍｍから１２ｍｍである。
【００３６】
支持部材１４は、針１１と、カッター１２と、円筒部１３とを支持している。この実施の形態においては、支持部材１４は、針１１と、カッター１２と、円筒部１３を支持するための支持面１４１を有している円柱状の部材である場合の例について説明する。ただし、支持部材１４は、針１１と、カッター１２と、円筒部１３とをどのように支持しても良い。
【００３７】
針１１は、支持部材１４の支持面１４１に対して垂直に伸びるように支持部材１４に支持されている。針１１の先端は、支持面１４１の反対側に設けられている。
【００３８】
カッター１２は、このカッター１２を構成する切刃１２１が、支持部材１４の支持面１４１に対して垂直に伸びるように支持部材１４に支持されている。ただし、切刃１２１は、針１１側に向かって傾斜していてもよい。
【００３９】
円筒部１３は、支持部材１４の支持面１４１に対して垂直に伸びるように支持部材１４に支持されている。
【００４０】
なお、ここでは一例として、支持面１４１が、カッター１２の外縁部分において、約０．３ｍｍ程度の段差を有しており、カッター１２の内部の高さが、外部よりも高くなっているものとする。ただし、この段差はなくても良い。また、この段差の高さは問わない。
【００４１】
開栓具１の外側の側面、即ち円筒部１３の外側の側面および支持部材１４の外側の側面には、滑り止め構造が設けられている。滑り止め構造は、例えば、ローレットである。図１及び図２においては、円筒部１３の伸びる方向に沿って伸びる複数の溝によって構成される平目ローレットを開栓具１が備えている場合を例に挙げて説明している。ただし、ローレットは、綾目ローレット等であっても良い。また、滑り止め構造は、円筒部１３の外側の側面および支持部材１４の外側の側面に設けられたディンプル等であっても良い。
【００４２】
開栓具１を構成する針１１と、カッター１２と、円筒部１３と、支持部材１４との材質は問わない。例えば、開栓具１を構成する針１１と、カッター１２と、円筒部１３と、支持部材１４とは、例えば、ポリプロピレン等の比較的に強度の高い樹脂で作製される。ただし、金属等で作製されても良い。ただし、廃棄の面から考えると、開栓具１の少なくとも針１１，カッター１２及び指示部材１４、好ましくは開栓具１全体が、樹脂で作製されていることが好ましい。また、開栓具１を構成する各部材が異なる材質により構成されていても良い。開栓具１を構成する針１１、カッター１２、円筒部１３、および支持部材１４は、押し出し成形等により一体成形しても良いし、複数の部品を組み立てて作製しても良い。安価に製造するためには、組み立て工程が不要な一体成形であることが好ましい。例えば、一体成形する場合、針１１の抜け落ち防止構造１１０等は、いわゆるアンダーカット処理等を行うことに作製可能である。また、開栓具１を複数の部品を組み立てて製造する場合、必ずしも、開栓具１を構成する針１１、カッター１２、円筒部１３、および支持部材１４を、それぞれ異なる組み立て用の部品として作製する必要はない。
【００４３】
図５は、採血管１００の一例を示す斜視図である。採血管１００は、有底管１０１と、栓体１０２とを有している。採血管１００の開口部１０１１、即ち有底管１０１の開口部１０１１は、フィルム状の栓体１０２により封止されている。有底管１０１は、通常、透明なガラスやプラスチック等により構成されている。
【００４４】
栓体１０２は、フィルム１０２１と、採血針（図示せず）等を刺し通すためのゴム部材１０２２とを有している。ゴム部材１０２２は、通常、開口部１０１１の中心部分に設けられている。フィルム１０２１としては、例えば、アルミ等の金属箔を、樹脂等でコーティングしたもの、あるいは、樹脂等でラミネートしたものが用いられる。ただし、フィルム１０２１の材質等は問わない。ゴム部材１０２２は、採血針等を刺し通す際のパッキンとして機能する。ただし、ゴム部材１０２２は、採血管の封止のしかた等によっては省略しても良い。また、ゴム部材１０２２の代わりに他の弾性部材等を用いても良い。
【００４５】
図６は、開栓具１を用いて採血管１００の開栓を行う動作を説明するための工程図である。図においては、開栓具１と、採血管１００とのそれぞれの断面を示している。なお、ここでは、採血管１００内の血液等は省略している。
【００４６】
以下、図６を用いて、開栓具１を用いて、図３に示した採血管１００を開栓する際の動作の一例について説明する。
【００４７】
まず、図６（ａ）に示すように、採血管１００の栓体１０２の上方に、針１１の先端側が、栓体１０２の上面に対向するように、開栓具１を配置する。
【００４８】
次に、開栓具１の円筒部１３の内側に、採血管１００の栓体１０２側が挿嵌されるように、開栓具１を採血管１００の方向に移動させる。ここでは、下向きに移動させる。そして、そのまま移動させると、図６（ｂ）に示すように、針１１がゴム部材１０２２とフィルム１０２１とを刺し通す。
【００４９】
更に、開栓具１を採血管１００の方向に移動させると、カッター１２の切刃１２１がフィルム１０２１に突き当たり、切刃１２１の先端部分、本実施の形態においては、山型の切刃１２１の頂上部分によりフィルム１０２１が部分的に突き破られる。また、針１１に刺し通された栓体１０２のゴム部材１０２２が、切刃１２１の先端部分と同程度の高さ位置に設けられている抜け落ち防止構造１１０の位置となる。
【００５０】
そして、図６（ｃ）に示すように、栓体１０２に切刃１２１の先端部分が刺さっている状態から、採血管１００を、針１１を回転軸となるように回転させながら、開栓具１を更に採血管１００の方向に移動させる。回転角度は、最終的に約９０度以上となるようにする。ここでは、カッター１２は、９０度毎に配置された４枚の切刃１２１を有しているため、この回転によって、栓体１０２の切刃１２１によって突き破られていない部分が、カッター１２の切刃１２１により切り取られ、栓体１０２が開栓されることとなる。ここでは切り取られた栓体１０２を切取栓体１０２ａと呼ぶ。カッター１２の切刃１２１で切り取られた切取栓体１０２ａは、図６（ｃ）に示すように、ゴム部材１０２２の弾力（ここでは、復元する力）により、針１１のくびれた部分である抜け落ち防止構造１１０に掛止した状態で、開栓具１とともに採血管１００内に移動する。
【００５１】
なお、ここでの約９０度の回転は、採血管１００と、開栓具１との相対的な角度が約９０度となる回転であれば良く、例えば、採血管１００を第一の回転方向に約４５度回転させ、さらに、開栓具１を第一の方向とは逆方向に約４５度回転させることであってもよい。開栓具１の側面に設けられたローレットは、開栓具１を回転させる際の滑り止めとして機能する。また、ここでは、切刃１２１の先端部分がフィルム１０２１を突き破った状態から、開栓具１を回転させるようにしたが、開栓具１の針１１がゴム部材１０２２とフィルム１０２１とを刺し通すよりも前の段階から、開栓具１を回転させながら採血管１００側に移動させても良い。
【００５２】
次に、採血管１００を開栓具１から取り出すため、開栓具１を採血管１００側とは逆方向に移動させる、つまり、開栓具１を上方向に引き出すと、開栓された採血管１００を開栓具１から取り外すことができる。また、カッター１２の切刃１２１で切り取られた切取栓体１０２ａは、図６（ｄ）に示すように、針１１のくびれた部分である抜け落ち防止構造１１０に掛止するため、切り取った栓体１０２が、針１１から抜け落ちないようにすることができる。
【００５３】
この結果、開栓具１で開栓した栓体１０２が、確実に採血管１００内に落ちないようにすることができる。
【００５４】
なお、ゴム部材１０２２の弾性が十分大きい場合には、抜け落ち防止構造１１０がなくてもゴム部材１０２２が針１１を締め付けることで、切取栓体１０２ａが針１１から抜け落ちないようにすることも可能である。ただし、抜け落ち防止構造１１０を設けたほうが，より確実に抜け落ちを防止することができる。
【００５５】
以上、本実施の形態によれば、針１１で刺し通した栓体を、カッターで切断することで、採血管の栓体を開栓するようにしたことにより、開栓した栓体の採血管内への落下を確実に防止することができる。
【００５６】
なお、本実施の形態に挙げたサイズ等は一例であり、採血管のサイズに応じて適宜変更可能であることはいうまでもない。
【００５７】
なお、本実施の形態の開栓具は、血液等と接触しうるものであることから、衛生の観点から、使い捨てとしても良い。
【００５８】
本発明は、以上の実施の形態に限定されることなく、種々の変更が可能であり、それらも本発明の範囲内に包含されるものであることは言うまでもない。
【産業上の利用可能性】
【００５９】
以上のように、本発明にかかる開栓具は、採血管を開栓する器具等として適しており、特に、フィルム状の栓体で封止された採血管を開栓する器具等として有用である。
【符号の説明】
【００６０】
１  開栓具
１１  針
１２  カッター
１３  円筒部
１４  支持部材
１４１  支持面
１１０  抜け落ち防止構造
１２１、１２２、１２３、１２４  切刃
【図１】
2014189312.tif 000003
【図２】
2014189312.tif 000004
【図３】
2014189312.tif 000005
【図４】
2014189312.tif 000006
【図５】
2014189312.tif 000007
【図６】
2014189312.tif 000008